(57)【特許請求の範囲】
【請求項１】
表面に長さを計測するための目盛りが付され、収納されたケースから測定方向に伸び縮み可能な計測帯を有し、この計測帯は前記ケース内の分岐点から前記測定方向と異なる方向に湾曲した経路に沿って前記ケース内の収納部に導かれており、さらに、
前記ケースから前記測定方向と反対方向に伸びた突当部と、
前記経路上において前記分岐点に対し前記突当部の先端と等しい距離に位置する前記計測帯の目盛りを示す計測窓とを有することを特徴とする計測具。
【請求項２】
請求項１において、前記ケースから出入りする前記計測帯の断面を前記ケース内では平板状に、前記ケース外ではほぼ円筒状に変換する変換部を有することを特徴とする計測具。
【請求項３】
請求項２において、
前記計測帯は、ほぼ円筒状になったときに外側となる前記表面に前記目盛りが付され、
さらに、前記ケースには前記計測帯が出入する円形の出入口が設けられており、前記変換部が前記出入口の内側に配置されている計測具。
【発明の詳細な説明】
【０００１】
【産業上の利用分野】
本発明は、長さを測定する計測具に関し、特に、壁と壁の間の寸法などの物に挟まれた距離を測定するのに好適な計測具に関するものである。
【０００２】
【従来の技術】
図４に示すように、壁１ａと壁１ｂの間の寸法や、柱と柱の間の寸法などを計測するときは、巻き尺２や折り尺３が一般に用いられる。巻き尺２を用いて計測するときは、巻き尺２のケース４から延ばしたブレード５の先端５ａを一方の壁１ａに固定し、ブレード５のケース４の側５ｂを湾曲させて他方の壁１ｂに突き当ててその寸法を読み取るようにしている。また、折り尺３を用いる場合は、計測したい長さに近くなるように折り込まれたアーム６を延ばし、さらに、アーム６の内部に収納された伸張スライド可能な補助アームを延ばすなどの設定を行い、壁１ａと壁１ｂの間の寸法に嵌まる適当な長さにセットされたものを用いて計測している。
【０００３】
【発明が解決しようとする課題】
巻き尺２は、測定に使用しない場合は非常にコンパクトに納まるので、持ち運びし易い。また、測定したい長さに簡単に伸び、１つの巻き尺によって広範囲の長さの計測ができるので一般に良く使用される計測具である。しかしながら、上記のような壁と壁の間などを突き当てて測定したり、あるいは、基準となる位置から内寸法を規定して柱などを取り付けたい場合は、ケースから延ばしたブレードの少なくとも一方を湾曲させなければ長さを測定することができない。従って、精度の高い測定は不可能であり、また、測定した長さも読み取りにくい。さらに、近年の巻き尺はブレードを湾曲させて１ｍ程度ぐらいは真っ直ぐに伸びるようになっているが、それ以上の距離になると垂れ下がったり、折れてしまう。従って、長い距離を１人で測定することは難しい。
【０００４】
一方、折り尺３は、一端適当な長さにセットすれば、垂れ下がったり途中で折れることは少ないので、測定は簡単である。しかしながら、長い距離の測定用のものはアームの数が増えたり、これらのアームを収納した状態でもかなり大きくなるのでコンパクトにまとまらず、持ち運びは不便である。持ち運びが便利なようにアームの数を減らしたものもあるが、測定したい長さに応じて複数の折り尺を使い分けることとなり不便である。また、折り尺は１つのアームの長さ以下の距離は測定できないので、この点でも問題がある。
【０００５】
そこで、本発明においては、上記の問題点に鑑み、持ち運びが容易なようにコンパクトにまとまり、壁と壁の間のように物と物に挟まれた距離を測定する場合でも精度の高い計測が簡単に行える計測具を提供することを目的としている。さらに、長い距離を１人でも簡単に精度良く計測できる計測具を提供することも本発明の目的としている。
【０００６】
【課題を解決するための手段】
本発明の計測具においては、ケースから測定方向に伸び縮み可能な計測帯を用いており、この計測帯をケース内に設けられた所定の経路を通して収納部に導き、収納部において計測帯を巻き取るなどの方法によって伸張できる状態で格納している。さらに、本発明の計測具は、計測帯の伸びる測定方向と反対側に伸び、壁などに突き当てることが可能な突当部を設けてあり、この突当部と計測帯の先端を対峙する壁のそれぞれに当てて壁同士の間の寸法などを計測できるようにしてある。従って、従来の巻き尺のように計測帯を湾曲させて壁に押しつけて長さを測るような不確実な方法を用いずに物に挟まれた距離の測定が可能である。
【０００７】
本発明の計測具は、さらに、突当部と計測帯の先端をそれぞれの壁に押しつけた際の寸法が正確に読み取れるように、計測帯が通る経路上において、この経路が測定方向と分岐する点からの距離が、この分岐する点から突当部の先端と等しい距離となる箇所に計測帯の目盛りを示す計測窓を設けてある。従って、計測者は、突当部の先端と、計測帯の先端とをそれぞれの壁に押し当て、計測窓に現れた計測帯の数値を読み取ることによって、壁と壁の間の寸法を正確に読み取ることができる。この計測窓は経路上に設けられているので、計測帯の収納状況に係わらず、分岐点から突当部の先端までの距離が正確に加算された長さをこの計測窓を介して読み取ることができる。
【０００８】
また、本発明の計測具は、計測帯の断面をケース内では平板状に、そして、ケース外ではほぼ円筒状に変換する変換部を設けてあり、さらに、計測帯には、ほぼ円筒状になったときに外側となる表面に目盛りを付している。さらに、ケースには計測帯が出入する円形の出入口を設け、変換部を出入口の内側に配置することが望ましい。ケース外に伸びた計測帯は断面がほぼ円形となるので、長い距離伸ばしても垂れ下がりや折れ曲がることが少なくなる。従って、１人でも長い距離を精度良く測定できる。一方、ケース内では、計測帯は平になっているので、巻き取ったり、折り込むなどの方法により簡単に効率良く収納することができる。
【０００９】
このように本発明に係る計測具は、従来の巻き尺と同様に計測帯をケースから伸び縮みさせて長さを計測できるので、非常にコンパクトとなり、持ち運びが容易で１つの計測具でカバーできる測定範囲も広い。さらに、壁と壁の間のように物と物に挟まれた距離を、それらの物に突き当てて長さを計測することができ、簡単に精度良く長さを読み取れる。そして、長い距離を測定する場合でも、垂れ下がりや、折り曲がりが発生することが少ないので、１人でも精度の良い計測が可能となる。
【００１０】
【実施例】
以下に図面を参照して、本発明に係る計測具をさらに詳しく説明する。図１に、本発明の計測具の概要を示してある。本例の計測具１０は、ほぼ方形をしたケース１１と、このケース１１の一方の端１１ａから若干突き出た円柱状の突当部１２とを有し、ケース１１の他方の端１１ｂからほぼ円筒状に丸まったブレード１３を引っ張りだせるようになっている。このブレード１３の先端は円筒状のキャップ１７によってカバーされている。また、ケース１１の側面１１ｃには引き出された位置でブレード１３を固定したり、ブレード１３をケース１１内に巻き戻すためのスイッチ１４が設けられている。ケース１１の上面１１ｄには、ケース内の所定の位置にあるブレード１３の目盛りが読めるように開いた計測用の窓１５が設けら、そのほぼ中央に長さを示す指示線１９が付けられている。
【００１１】
図２（ａ）にケース１１の内部の構成を示してある。本例の計測具１０のケースの端１１ｂには、ブレード１３が出入りするほぼ円形の出入口２１が設けられており、この出入口２１を介してブレード１３はケース１１に対し自由に伸び縮みできるようになっている。図３に詳しく説明してあるように、本例のブレード１３は薄い鋼帯等の断面の形状の変えられる薄板状の素材で形成されており、ブレード１３を円筒状にしたときに外側となる表面１３ａに長さを示す目盛り１６が付されている。そして、円筒状になったブレード１３は、ケース１１から長さを測定する方向Ｘに向かってほぼ一直線に伸ばすことができる。
【００１２】
本例の計測具１０においては、出入口２１から外側では、ブレード１３がほぼ円形の断面となって伸び、出入口２１から内側では平らな板状の断面で格納されている。ブレード１３の形状をこのように変換するために、本例のケース１１の端１１ｂには円形の出入口２１が設けられている。さらに、この出入口２１に内側にはブレード１３の縁１３ｂを円形の断面から平らな断面となる方向に、また、その逆の方向に導くほぼ楔形をした変換部材２２が設けられている。変換部材２２の両側には、ブレード１３の縁１３ｂの移動する方向にローラー２５が取り付けられており、このローラー２５によって変換部材２２やブレード１３を傷つけることなくスムーズに出し入れすることができる。ブレード１３の断面を変換する方法は、図３に示したものに限らず、例えば、ブレード１３の表面をガイドしながら円筒状に導くような部材をケース内部に設けてももちろん良い。また、円筒状に変形されたブレード１３においても、ブレード１３の縁１３ｂ同士が密着する必要はなく、縁１３ｂ同士の間に適度な隙間が開いている状態であってももちろん良い。本例のように、ブレード１３を円筒状とすることによって、目盛りの付された面に対するブレード１３の断面２次モーメントが非常に大きくなり、座屈などに対する強度を大幅に向上できる。従って、ブレード１３をケース１１から測定する方向Ｘに向かって長く伸ばしても、ブレード１１が途中で折れたり、垂れ下がることは少なく、１人でも精度の良く長さを計測できる。
【００１３】
図２に戻って、ケース１１の内部では、平板状になったブレード１３は、出入口２１から直線状に、すなわち測定する方向Ｘとは反対側に引き込まれ、分岐点Ｙから湾曲した経路３０に沿って曲がり、ブレード１３を巻きながら収納する巻き取り装置４０に導かれる。この巻き取り装置４０は図１に示したスイッチ１４によってロックされたり、あるいは自動的に巻き取る方向に回転するようになっている。本例の湾曲した経路３０は、回転可能なローラー３１によって形成されており、分岐点Ｙからブレード１３はこのローラー３１の表面にそって曲がりながら導かれる。巻き取り装置４０によってブレード１３が巻き取られたり、出入口２１からブレード１３が引き出されるときはローラー３１がそれぞれの方向に回転するので、ブレード１３は経路３０内を介してケース１１からスムーズに伸び縮みするようになっている。
【００１４】
ケース１１の端１１ａから突当部１２がブレード１３の伸びる方向Ｘとは反対側に、ブレード１３とほぼ一直線状となるように突き出ている。この突当部１２の先端１２ａは分岐点Ｙから距離ｌだけ離れている。また、経路３０に沿って分岐点Ｙから上記と同じ距離ｌだけ離れた位置にブレード１３の表面に付された目盛りが見れるように窓１５が設けられ、分岐点Ｙから距離ｌはなれた位置に指示線１９を付けてある。従って、窓１５から、ブレード１３の表面にある目盛りの内、分岐点Ｙから距離ｌだけ長い場所の目盛りを正確に読み取ることができる。
【００１５】
すなわち、経路３０は、ブレード１３の巻き取り状況に係わらず一定の長さの経路であり、ブレード１３がケース１１から伸ばされている距離に係わらず分岐点Ｙから距離ｌだけ長い値が窓１５に付けた指示線１９を介して読み取れ、この値がブレード１３の先端１３ｃと突当部１２の先端１２ａとの間の距離に相当する。
【００１６】
図２（ｂ）に、本例の計測具１０を用いて壁１ａと壁１ｂとの距離を測定する様子を示してある。壁１ａに突当部の先端１２ａを押し当て、他方の壁１ｂにブレード１３の先端１３ｃを押し当てると、窓１５に壁１ａと１ｂの間の距離が表示される。前述したように、窓１５には、測定方向Ｘに伸びたブレード１３の長さに分岐点Ｙから窓１５までの距離ｌだけ加算された長さが表示され、距離ｌは、分岐点Ｙから突当部の先端１２ａまでの距離に等しいので、窓１５に表示された長さは、壁１ａと１ｂとの距離に等しくなる。このように、本例の計測具１０を用いれば壁と壁の間の距離のように、物と物に挟まれた距離を簡単にかつ正確に計測できる。また、内寸法を規定して柱を設定するなどの作業においても非常に有効である。さらに、従来の巻き尺と同様に長さを計測しないときはブレード１３をケース１１内に完全に収納できるので、コンパクトにまとまり持ち運びにも便利である。また、ケース１１内には長いブレード１３でもコンパクトに収納できるので、本例の計測具１０で広い範囲の長さを測定することができる。
【００１７】
また、本例の計測具１０では、ブレード１３の先端を保護するようにキャップ１７を付けてある。そして、図２（ａ）に示してあるようにキャップ１７に爪１７ａを設けてあり、破線で示すように爪１７ａがキャップ１７に対し出入りできるようになっている。従って、ブレード１３の先端１３ｃを壁などに押しつけて距離を測定することもでき、さらに、爪１７ａを柱の縁などに引っかけても、正確な距離を測定できる。
【００１８】
さらに、本例の計測具１０は、ケースの出入口から伸びたブレード１３を用いて長さを計測する際に、伸ばしたブレード１３が円筒状に変形されているのでブレードが垂れ下がったり、途中で折れることは少なく、従来の巻き尺より長い距離を１人でも簡単に、精度良く測定できる。
【００１９】
なお、本例の計測具は、壁などに当てやすいように突当部１２をケース１１から円柱状に突き出してあるが、ケース１１の側面をそのまま伸ばして突当部とし、ケース自体を壁などに当てるようにしてももちろん良い。あるいは、突当部１２を折り畳んだり、伸張可能としてケース１１内に収納できるようにすることも可能である。また、突当部１２をケース１１の一部を支点として旋回させて計測具全体をいっそうコンパクトにまとめることも可能である。また、突当部１２はブレードの伸びる方向と反対側に伸びていれば良く、位置をずらして配置してももちろん良い。さらに、ブレードの収納部として本例の計測具ではブレードの巻き取り装置を用いているが、巻き取り装置に限らず折り畳んで収納するような装置でももちろん良い。さらに、経路３０は突当部に相当する長さを確保できれば良く、上記のようなローラーを用いた経路に限定されない。また、経路と収納部との位置関係も上述した実施例に限定されるものではない。
【００２０】
【発明の効果】
以上に説明したように、本発明に係る計測具は、計測帯と反対方向に伸びた突当部を有し、これに対応した長さを補正した距離が表示できるようになっている。従って、壁と壁の間のような従来正確な測定が困難な場所の距離を簡単に、精度良く測定することが可能である。さらに、変換部を用いて計測帯がほぼ円筒状となって伸びるようにしてあり、円筒状となったときの外側の面に目盛りを付してあるので、長い距離でも確実に測定することができる。そして、本発明の計測具は、計測帯などをケース内に収納することができ、持ち運びに便利で、広い範囲の長さを容易に測定することが可能である。
【図面の簡単な説明】
【図１】本発明の実施例に係る計測具の概要を示す斜視図である。
【図２】図１に示す計測具の構成を示す断面図（ａ）と、図１に示す計測具を用いて測定する様子を示す図（ｂ）である。
【図３】ケースから出入りするブレードの断面形状を変換する様子を示す斜視図である。
【図４】巻き尺および折り尺を用いて壁と壁との間の距離を測定する様子を示す図である。
【符号の説明】
１・・壁
２・・巻き尺
３・・折り尺
１０・・計測具
１１・・ケース
１２・・突当部
１３・・計測帯（ブレード）
１５・・表示用の窓
１７・・キャップ
１９・・指示線
２１・・出入口
２２・・変換部材
２５・・ローラー
３０・・ブレードを導く経路
４０・・ブレードの巻き取り装置
【図１】
0003554601.tif 000002
【図２】
0003554601.tif 000003
【図３】
0003554601.tif 000004
【図４】
0003554601.tif 000005